(57)【要約】【課題】  工事用エレベーターのガイドレールを構築物に固定している壁つなぎ装置に加わることが予測される、地震動に伴うずれの影響を抑制ないしは吸収する。【解決手段】  免震装置が設置されている構築物に組み付ける工事用エレベーターにおけるガイドレールの免震壁つなぎ装置について、ガイドレール１８を支持しているサポートフレーム２５に対して、水平面内で１方向へ移動可能にスプリングフレーム２６を設け、上記１方向への移動を吸収する第１免震部３５をサポートフレーム２５とスプリングフレーム２６の間に設け、躯体側サポートフレーム４１に対して、水平面内で上記とは直交方向へ移動可能に躯体側スプリングフレーム４３を設け、上記直交方向への移動を吸収する第２免震部５２を躯体側サポートフレーム４１と躯体側スプリングフレーム４３の間に設け、上記スプリングフレーム２６と躯体側スプリングフレーム４３を結合し、水平面内の横揺れを吸収可能とする。【選択図】          図２
2005225665.tif 000002
【特許請求の範囲】
【請求項１】
免震装置が設置されている構築物に組み付ける工事用エレベーターにおけるガイドレールの免震壁つなぎ装置であって、ガイドレールを支持しているサポートフレームに対して、水平面内で１方向へ移動可能にスプリングフレームを設けるとともに、上記１方向への移動を吸収する第１免震部をサポートフレームとスプリングフレームの間に設け、躯体側サポートフレームに対して、水平面内で上記とは直交方向へ移動可能に躯体側スプリングフレームを設けるとともに、上記直交方向への移動を吸収する第２免震部を躯体側サポートフレームと躯体側スプリングフレームの間に設け、上記スプリングフレームと躯体側スプリングフレームとを結合することにより水平面内の横揺れを吸収可能としたことを特徴とする工事用エレベーターにおけるガイドレール免震壁つなぎ装置。
【請求項２】
第１免震部と第２免震部は、地震動入力を緩和し吸収する手段として、各種のスプリングとダッシュポット又は両者を組み合わせたものから構成されている請求項１記載の工事用エレベーターにおけるガイドレール免震壁つなぎ装置。
【請求項３】
壁つなぎ装置は、大入力において作用し、それ以下の小入力では作用しないように、サポートフレームとスプリングフレームとを、一定の力で結合した構成を有している請求項１又は２記載の工事用エレベーターにおけるガイドレール免震壁つなぎ装置。
【発明の詳細な説明】
【技術分野】
【０００１】
本発明は、免震装置が設置されている構築物に組み付ける工事用エレベーターにおけるガイドレールの免震壁つなぎ装置に関するものである。
【背景技術】
【０００２】
免震装置が設置されているビルディング等の構築物に工事用エレベーターを設置する場合、エレベーターの昇降用ガイドレールを構築物に壁つなぎ装置を用いて固定するため、地震動により免震装置が作動する構築物の上部、下部とエレベーターの昇降用ガイドレールとの間に水平方向のずれが発生する。このずれは壁つなぎ装置では吸収できず、そのためガイドレールが破損してしまう可能性がある。
【０００３】
工事用エレベーターに関して、振動対策を施したものはないわけではなく、例えば特開平７−２０６２７８号は、エレベーター乗りかごのかご枠と、かご室の側板と、床とを移動可能に分割し、かご室の側板と床を夫々別の弾性体を用いて、かご枠に受け支えるという事項を開示している。しかしながら、上記発明はエレベーターの昇降に伴う縦振動を抑制し乗り心地を改善するものであり、地震対策のために転用できるものではない。
【０００４】
【特許文献１】特開平７−２０６２７８号
【発明の開示】
【発明が解決しようとする課題】
【０００５】
本発明は前記の点に着目してなされたもので、その課題は、工事用エレベーターのガイドレールを構築物に固定している壁つなぎ装置に加わることが予測される、地震動に伴うずれの影響を抑制ないしは吸収することである。本発明の他の課題は、構築物の上部、下部にずれが発生しない小入力の状態では、壁つなぎ装置もボルト固定され、衝撃吸収しないようにすることである。
【課題を解決するための手段】
【０００６】
前記の課題を解決するため本発明は、免震装置が設置されている構築物に組み付ける工事用エレベーターにおけるガイドレールの免震壁つなぎ装置として、ガイドレールを支持しているサポートフレームに対して、水平面内で１方向へ移動可能にスプリングフレームを設けるとともに、上記１方向への移動を吸収する第１免震部をサポートフレームとスプリングフレームの間に設け、躯体側サポートフレームに対して、水平面内で上記とは直交方向へ移動可能に躯体側スプリングフレームを設けるとともに、上記直交方向への移動を吸収する第２免震部を躯体側サポートフレームと躯体側スプリングフレームの間に設け、上記スプリングフレームと躯体側スプリングフレームとを結合することにより水平面内の横揺れを吸収可能という手段を講じたものである。
【０００７】
図１は、ビル建築のような構築物に免震装置を設置したものと、その構築物に設けた工事用エレベーターの例示である。工事用エレベーターは、搬器を昇降させる昇降装置と、昇降装置の昇降路であるガイドレールを有しており、ガイドレールを直接支持している部材をサポートフレームと呼び、ポストに設置されている。図１に示されている構築物と、工事用エレベーターのポストを結合するものとして、本発明の免震壁つなぎ装置が存在する。
【０００８】
このようなポスト側のサポートフレームに対して、水平面内で、１方向へのみ移動可能にスプリングフレームが設けられている。故にスプリングフレームは、サポートフレームに対して相対的に移動可能になっており、移動が生じたときに移動を抑制し停止させる、即ち移動を吸収する、第１免震部がサポートフレームとスプリングフレームとの間に設けられている。
【０００９】
また構築物側では、躯体側のサポートフレームに対して、水平面内で、スプリングフレームとは直交方向へ移動可能に、躯体側スプリングフレームを設け、移動が生じたときに移動を抑制し停止させる、即ち移動を吸収する第２免震部を上記スプリングフレームと躯体側スプリングフレームとの間に設けている。躯体側スプリングフレームはガイドレール側のサポートフレームと結合し、それによって、水平面内の横揺れを抑制し停止させるように設けられている。
【００１０】
第１免震部と第２免震部は、地震動入力を緩和し吸収する手段であり、緩衝装置の構成を有している。例えば、各種のスプリング、ダッシュポット又は上記両者を組み合わせたものから構成される。スプリングとしては振動吸収特性が良好であることからコイルスプリングを複数個直列に配置したものであることが望ましい。またダッシュポットとしてはいわゆるショックアブソーバーの類を使用することができる。中でも油圧緩衝装置が最も望ましい。
【００１１】
壁つなぎ装置が、大入力において作用し、それ以下の小入力では作用しないように、サポートフレームとスプリングフレームとを、一定の力で結合した構成を有していることは望ましいことである。これにより、通常時はがたつきの生じない状態で静かに運行可能であり、大入力下では結合部が機能を喪失して免震効果を発揮し得ることとなる。
【発明の効果】
【００１２】
本発明は以上の如く構成されかつ作用するものであるから、工事用エレベータのガイドレールを構築物に固定している壁つなぎ装置を水平面内で直交する２方向へ移動可能に設けるとともに、地震入力によって生じた移動を第１免震部及び第２免震部にて緩和、吸収することができ、ガイドレールを破損から保護することが可能となる。また本発明の免震壁つなぎ装置は、構築物の上部、下部にずれを生じない状態では、衝撃吸収しないように固定されているので、工事による衝撃、エレベーターの運行による衝撃等によって誤作動を起こすことがない。
【発明を実施するための最良の形態】
【００１３】
以下図示の実施形態を参照して本発明をより詳細に説明する。図１は構築物１１である９層の構築物と、その外壁に沿って設置された工事用エレベーター１５を示すもので、構築物１１の４階と５階の構造躯体間に構築物の免震装置１２が設置されており、地震動に伴う水平面内のずれを吸収することができるようになっている。
【００１４】
工事用エレベーター１５は、左右のポスト１６、１６と、その間に位置する搬器１７を有し、ポスト１６、１６にガイドレール１８、１８が夫々設けられている。ガイドレール１８、１８にはラック１９が昇降方向に設けられており（図２）、搬器側に設けられている駆動装置２１、２１のピニオンが噛み合って昇降可能とされている。各ポスト１６の外側にはエレベーター側のサポートフレーム２５が設けられており、同サポートフレーム
２５には、エレベーター側のスプリングフレーム２６が水平面内で１方向へ移動可能に設けられている。
【００１５】
サポートフレーム２５は、そのため１方向へ配置された一方の軸２７を軸受けする２箇所の軸受部２８、２８を有し、軸受部２８、２８を挟んで両側にコイルスプリング２９、２９を配置した構成を有している。一方の軸２７はスプリングフレーム２６の側に両端にて取り付けられており、軸受部２８、２８ではスライドするだけである。さらに、軸受部２８、２８間に可動的に架材３１が設けてあり、架材３１には、ダッシュポットの一種としてショックアブソーバー３２がその一端３３にて取り付けられ、ショックアブソーバー３２の他端３４はスプリングフレーム２６に取り付けられている。このため、地震動による１方向の大入力を受けて移動し圧縮、伸長を繰り返すコイルスプリング２９、２９の外力吸収作用をショックアブソーバー３２によって吸収し急速に減衰させることができる。このコイルスプリング２９、２９とショックアブソーバー３２は第１免震部３５を構成する。
【００１６】
他方、地震動のほか工事用エレベーター１５には様々な外力の加わることが予想され、その都度第１、第２免震部３５が働いていたのでは、常に振動を呼び込み、それに伴う異音も発生するので好ましいものではない。そこで本発明では、本発明装置が機能するのは壁つなぎ装置の損傷につながるような大入力の場合とし、それ以下の小振動は許容範囲として、本発明装置が機能しない結合部３６を設けることにした。例示の結合部３６は、サポートフレーム２５に設けた結合片３７と、スプリングフレーム２６に設けた１方向の長孔３８と、結合部３７と長孔３８に通して両フレーム２５、２６を緊締するボルトから成る結合子３９で構成されている。
【００１７】
また、躯体には躯体側サポートフレーム４１が、アンカーボルトで示されている固定手段４２によって取り付けられており、同サポートフレーム４１には、躯体側スプリングフレーム４３が水平面内で、前記エレベーター側の１方向と直交方向へ移動可能に設けられている。即ち、躯体側サポートフレーム４１は、上記直交方向へ配置された他方の軸４４を軸受する２箇所の軸受部４５、４５を有し、軸受部４５、４５を挟んで両側にコイルスプリング４６、４６を配置した構成を有している。軸受部４５、４５間には、可動的に架材４７が設けてあり（図５）、架材４７にはショックアブソーバー４８がその一端４９にて取り付けられ、ショックアブソーバー４８の他端５１は躯体側スプリングフレーム４３に取り付けられている。コイルスプリング４６、４６及びショックアブソーバー４８は１方向に対する直交方向の大入力を吸収し、減衰させることができる第２免震部５２を構成する。
【００１８】
さらに、地震動による大入力には対応して損壊事故発生を防止することができるが、それより小さい入力には反応しない結合部５３はこの躯体側にも設けられる。躯体側における構成はエレベーター側と同様であり、躯体側サポートフレーム４１に設けた結合片５４と、躯体側スプリングフレーム４３に設けた１方向に対する直交方向の長孔５５と、結合片５４と長孔５５に通して両フレーム４１、４３を緊締するボルトから成る結合子５６で構成されている。
【００１９】
本発明はこのように構成されているので、地震による水平面内の入力を吸収して、工事用エレベーターのガイドレール１８と躯体との間にずれが発生しないように作用するものであり、壁つなぎ装置の損壊を防止することとなる。なお本発明において、本発明装置により、ガイドレール１８及び躯体側とは切り離されているのでエレベーター側は、地震に際してポスト１６を介して地震動を受ける。
【図面の簡単な説明】
【００２０】
【図１】（ａ）本発明に係るガイドレールの免震壁つなぎ装置を適用した工事用エレベーターの平面図。（ｂ）同上の正面図。（ｃ）同じく側面と構築物の関係を示す説明図。
【図２】ガイドレール、本発明の１実施例を示す免震壁つなぎ装置及び構築物間の横断説明図。
【図３】図２のＩＩＩ−ＩＩＩ線断面図。
【図４】（ａ）第１免震部の要部説明図。（ｂ）同じく端面図。
【図５】第２免震部の上面図。
【符号の説明】
【００２１】
１１  構築物
１２  免震装置
１５  工事用エレベーター
１８  ガイドレール
２５、４１  サポートフレーム
２６、４３  スプリングフレーム
２７、４４  軸
２８、４５  軸受部
２９、４６  コイルスプリング
３２、４８  ショックアブソーバー
３５  第１免震部
３６、５３  結合部
３７、５４  結合片
３８、５５  長孔
３９、５６  結合子
５２  第２免震部
【図１】
2005225665.tif 000003
【図２】
2005225665.tif 000004
【図３】
2005225665.tif 000005
【図４】
2005225665.tif 000006
【図５】
2005225665.tif 000007